(57)【要約】【課題】収容量の異なるシリンジの本体フランジをはめ込んで確実に把持することができるシリンジポンプを提供する。【解決手段】シリンジポンプ１は、シリンジ２００のシリンジ本体を設定するシリンジ載置部６を有し、シリンジ載置部６は、シリンジ本体を収容する収容部８と、シリンジ本体を収容部８に収容した状態で、弾性変形してシリンジ本体の本体フランジ２０９を収容部８との間で着脱可能にはめ込んで把持する本体フランジ押さえ部材５００を有し、本体フランジ押さえ部材５００は、本体フランジ２０９に対して点状または線状で突き当てる突起部分５１１を有する。【選択図】図８
2013094377.tif 000002
【特許請求の範囲】
【請求項１】
シリンジを装着して前記シリンジのシリンジ押子を押して前記シリンジ内の前記薬剤を患者に送液するシリンジポンプであって、
前記シリンジのシリンジ本体を設定するシリンジ載置部は、
前記シリンジ本体を収容する収容部と、
前記シリンジ本体を前記収容部に収容した状態で、弾性変形して前記シリンジ本体の本体フランジを前記収容部との間で着脱可能にはめ込んで把持する本体フランジ押さえ部材と、を有し、
前記本体フランジ押さえ部材は、前記本体フランジに対して点状または線状で突き当てる突起部分を有することを特徴とするシリンジポンプ。
【請求項２】
前記本体フランジ押さえ部材は、前記シリンジポンプの本体側に固定される基部と、前記突起部分を有し前記本体フランジを案内するための先端部と、前記基部と前記先端部をつなぐ弾性変形部と、を有することを特徴とする請求項１に記載のシリンジポンプ。
【請求項３】
前記本体フランジ押さえ部材は、前記シリンジポンプの本体側に固定される基部と、前記基部につながっており前記収容部側に傾けられている弾性変形部とを有し、前記突起部分は、前記本体フランジに対して突き当てられる前記弾性変形部の先端に設けられていることを特徴とする請求項１に記載のシリンジポンプ。
【請求項４】
前記本体フランジ押さえ部材の前記先端部は、前記本体フランジのはめ込みを案内するための２つの導入部を有し、２つの前記導入部の間には、前記シリンジの前記シリンジ押子を通す凹部が形成されていることを特徴とする請求項２に記載のシリンジポンプ。
【請求項５】
前記本体フランジ押さえ部材の前記先端部は、前記本体フランジのはめ込みを案内するための１つの導入部を有することを特徴とする請求項２に記載のシリンジポンプ。
【請求項６】
前記シリンジの前記シリンジ押子を押すためのシリンジ押子駆動部と、前記本体フランジ押さえ部材により前記本体フランジが把持されたことを検出する本体フランジ検出部と、
前記本体フランジ検出部からの前記本体フランジを検出した時の信号を受ける制御部と、を有することを特徴とする請求項１ないし５のいずれかに記載のシリンジポンプ。
【請求項７】
前記シリンジポンプの本体の上部分には、情報を表示する表示部と、操作ボタンを有する操作パネル部が配置され、前記シリンジポンプの本体の下部分には、前記シリンジ載置部と前記シリンジ押子駆動部が配置されていることを特徴とする請求項６に記載のシリンジポンプ。
【発明の詳細な説明】
【技術分野】
【０００１】
本発明は、シリンジを装着してこのシリンジ内の薬剤を患者へ送液するためのシリンジポンプに関する。
【背景技術】
【０００２】
シリンジポンプは、例えば集中治療室（ＩＣＵ）等で使用されて、患者に対して抗がん剤、麻酔剤、化学療法剤、輸血等、栄養剤等の薬剤の送液処置を、高い精度で比較的長時間行うことに用いられている。シリンジポンプの薬剤の流量制御は、他の輸液ポンプに比較して精密で優れている。
【０００３】
すなわち、薬剤を充填したシリンジ本体は、シリンジポンプに対してクランプを用いてシリンジポンプの本体ケースに対して動かないようにセットされ、シリンジポンプは、シリンジ押子を押圧してシリンジ本体内の薬剤を正確に患者側に送液するようになっている（特許文献１を参照）。
【先行技術文献】
【特許文献】
【０００４】
【特許文献１】特開２０１０−８８５６４号公報
【発明の概要】
【発明が解決しようとする課題】
【０００５】
ところで、シリンジポンプを使用する治療室や手術室では、異なる収容量を有する複数種類のシリンジが予め用意されている。医療従事者は、これらのシリンジから必要とする収容量のシリンジを選択して、選択された収容量のシリンジを、上述したシリンジポンプに対して着脱可能に装着する。
シリンジがシリンジポンプに装着される場合には、シリンジ本体の外周面がシリンジポンプの凹部の内面に密着されるとともに、シリンジの本体フランジがシリンジポンプのはめ込み部分に対してはめ込まれることで、本体フランジが把持できる。
【０００６】
しかし、医療従事者が、選択したシリンジの本体フランジをシリンジポンプに対して確実にはめ込んで把持できないと、シリンジのシリンジ本体がシリンジポンプの凹部の内周面に対して傾いて装着されてしまうことになる。シリンジ本体がシリンジポンプの凹部において傾いて装着されてしまうと、駆動部がシリンジ押子を正確な方向に押し込むことができず、薬剤の送液動作を、高い精度で行うことができないという問題がある。
そこで、本発明は、収容量の異なるシリンジの本体フランジをはめ込んで確実に把持することができるシリンジポンプを提供することを目的とする。
【課題を解決するための手段】
【０００７】
本発明のシリンジポンプは、シリンジを装着して前記シリンジのシリンジ押子を押して前記シリンジ内の前記薬剤を患者に送液するシリンジポンプであって、前記シリンジのシリンジ本体を設定するシリンジ載置部は、前記シリンジ本体を収容する収容部と、前記シリンジ本体を前記収容部に収容した状態で、弾性変形して前記シリンジ本体の本体フランジを前記収容部との間で着脱可能にはめ込んで把持する本体フランジ押さえ部材と、を有し、前記本体フランジ押さえ部材は、前記本体フランジに対して点状または線状で突き当てる突起部分を有することを特徴とする。
【０００８】
上記構成によれば、収容量の異なるシリンジの本体フランジをはめ込んで確実に把持することができる。すなわち、本体フランジ押さえ部材が、本体フランジをはめ込んで把持する際に、本体フランジ押さえ部材の突起部分は、本体フランジに対して点状または線状で突き当てることができるので、収容量の異なるシリンジのサイズの異なる本体フランジをはめ込んでも、面状で当てるのに比べて強い力で確実に安定して把持することができる。
【０００９】
好ましくは、前記本体フランジ押さえ部材は、前記シリンジポンプの本体側に固定される基部と、前記突起部分を有し前記本体フランジを案内するための先端部と、前記基部と前記先端部をつなぐ弾性変形部と、を有することを特徴とする。
上記構成によれば、本体フランジをはめ込んで把持する際に、突起部分が本体フランジに突き当たると、弾性変形部が基部に対して変形することにより、本体フランジ押さえ部材は、収容量の異なるシリンジのサイズの異なる本体フランジであっても、弾性力を用いて確実に把持することができる。
好ましくは、前記本体フランジ押さえ部材は、前記シリンジポンプの本体側に固定される基部と、前記基部につながっており前記収容部側に傾けられている弾性変形部とを有し、前記突起部分は、前記本体フランジに対して突き当てられる前記弾性変形部の先端に設けられていることを特徴とする。
上記構成によれば、本体フランジをはめ込んで把持する際に、収容部側に傾けられている弾性変形部の突起部分が本体フランジに突き当たると、弾性変形部が基部に対して変形することにより、本体フランジ押さえ部材は、収容量の異なるシリンジのサイズの異なる本体フランジであっても、弾性力を用いて確実に把持することができる。
【００１０】
好ましくは、前記本体フランジ押さえ部材の前記先端部は、前記本体フランジのはめ込みを案内するための２つの導入部を有し、２つの前記導入部の間には、前記シリンジの前記シリンジ押子を通す凹部が形成されていることを特徴とする。
上記構成によれば、本体フランジは、２つの導入部を用いて、収容部と本体フランジ押さえ部材の間に簡単にはめ込むことができる。
【００１１】
好ましくは、前記本体フランジ押さえ部材の前記先端部は、前記本体フランジのはめ込みを案内するための１つの導入部を有することを特徴とする。
上記構成によれば、本体フランジは、１つの導入部を用いて、収容部と本体フランジ押さえ部材の間に簡単にはめ込むことができる。
【００１２】
好ましくは、前記シリンジの前記シリンジ押子を押すためのシリンジ押子駆動部と、前記本体フランジ押さえ部材により前記本体フランジが把持されたことを検出する本体フランジ検出部と、前記本体フランジ検出部からの前記本体フランジを検出した時の信号を受ける制御部と、を有することを特徴とする。
上記構成によれば、シリンジ押子駆動部は、シリンジ押子を押すことができ、制御部は、本体フランジ押さえ部材により本体フランジを把持したことを認識することができる。
【００１３】
好ましくは、前記シリンジポンプの本体の上部分には、情報を表示する表示部と、操作ボタンを有する操作パネル部が配置され、前記シリンジポンプの本体の下部分には、前記シリンジ載置部と前記シリンジ押子駆動部が配置されていることを特徴とする。
上記構成によれば、医療従事者は、本体の上部分の表示部の情報を確認しながら、シリンジからの薬剤の送液作業を行うことができる。そして、医療従事者は、本体の上部分の表示部の情報を確認しながら、操作パネル部の操作ボタンを操作することができる。
【発明の効果】
【００１４】
本発明は、収容量が２．０ｍＬ〜５０ｍＬまでの異なるシリンジの本体フランジをはめ込んで確実に把持することができるシリンジポンプを提供することができる。
【図面の簡単な説明】
【００１５】
【図１】本発明のシリンジポンプの実施形態を示す斜視図。
【図２】図１に示すシリンジポンプをＷ方向から見た斜視図。
【図３】複数種類の大きさのシリンジの例を示す斜視図。
【図４】シリンジポンプにおける電気な構成例を示す図。
【図５】図２に示すシリンジ載置部とシリンジ押子駆動部を示す斜視図。
【図６】図５に示すシリンジ載置部とシリンジ押子駆動部を、Ｅ方向から拡大して見た斜視図。
【図７】図７（Ａ）は、図５と図６に示す本体フランジ押さえ部材の形状例を示す斜視図であり、図７（Ｂ）は、図６におけるＪ−Ｊ線から見たこの本体フランジ押さえ部材が固定されている状態を示す図。
【図８】図８（Ａ）は、比較的収容量の大きいシリンジの本体フランジが本体フランジ押さえ部材を用いてはめ込んで把持された状態を示し，図８（Ｂ）は、比較的収容量の小さいシリンジの本体フランジが本体フランジ押さえ部材を用いてはめ込んで把持された状態を示図。
【図９】本体フランジ検出部の構造例を示図。
【図１０】同じ収容量のシリンジが横置きにはめ込んで固定された状態と縦置きにはめ込んで固定された状態を示す図。
【図１１】本発明の別の実施形態である本体フランジ押さえ部材を示す図。
【図１２】図１２（Ａ）は、図１１に示す実施形態において、比較的収容量の大きいシリンジの本体フランジが本体フランジ押さえ部材を用いてはめ込んで把持された状態を示し、図１２（Ｂ）は、比較的収容量の小さいシリンジの本体フランジが本体フランジ押さえ部材を用いてはめ込んで把持された状態を示す図。
【図１３】本発明の実施形態とは異なる比較例を示す図。
【図１４】本発明のさらに別の実施形態を示す図。
【図１５】図１３に示す実施形態の使用例等を示す図。
【発明を実施するための形態】
【００１６】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１は、本発明のシリンジポンプの実施形態を示す斜視図である。図２は、図１に示すシリンジポンプをＷ方向から見た斜視図である。
図１と図２に示すシリンジポンプ１は、例えば集中治療室等で使用され、患者に対して、抗がん剤、麻酔剤、化学療法剤、輸血等、栄養剤等の薬液の微量注入処置を、高い精度で比較的長時間行うことに用いられる微量持続注入ポンプである。
【００１７】
図１と図２に示すように、シリンジポンプ１は、例えば薬液を充填したシリンジ２００のシリンジ本体２０１を、クランプ５を用いて動かないようにセットすることができる。図２に示すシリンジ押子駆動部７のモータ１３３が、図２では図示していない送りネジを回転することで、シリンジ押子駆動部７のシリンジ押子押圧部材１０は、シリンジ２００のシリンジ押子２０２をシリンジ本体２０１に対してＴ方向に押圧して、シリンジ本体２０１内の薬液を、図２に示すようにチューブ２０３と留置針２０４を介して、患者Ｐに対して正確に送液する。このシリンジ押子押圧部材１０は、スライダあるいはシリンジ押子押圧ユニットともいう。
図２に示すように、シリンジポンプ１は、筐体２を有し、この筐体２は耐薬品性を有する成型樹脂材料により一体成型されており、フロントカバー２Ｆとリアカバー２Ｒを接合して組み立てることにより、液密性能を有する箱体として構成されている。これにより、後で説明するように、仮に薬液や水分等がかかってもシリンジポンプ１の内部に侵入するのを防ぐことができる防沫および防滴（防水）処理構造を有している。
【００１８】
まず、シリンジポンプ１の筐体２に配置された各要素について説明する。
図２に示すように、シリンジポンプ１は、筐体２と取手２Ｔを有している。筐体２の上部分２Ａには、表示部３と、操作パネル部４が配置されている。筐体２の下部分２Ｂには、シリンジ載置部６とシリンジ押子駆動部７が配置されている。これにより、医療従事者は、筐体２の上部分２Ａの表示部３にカラー表示される情報内容を目視で確認しながら、シリンジ２００からの薬液の送液作業を行うことができる。そして、医療従事者は、筐体２の表示部３にカラー表示される情報内容を確認しながら、操作パネル部４の操作ボタンを操作することができる。
【００１９】
図１と図２に示す表示部３は、カラーグラフィック表示することができるカラー液晶表示装置（ＬＣＤ）である。この表示部３は、筐体２の上部分２Ａの左上位置であって、シリンジ載置部６とシリンジ押子駆動部７の上側に配置されている。操作パネル部４は、筐体２の上部分２Ａにおいて表示部３の右側に配置され、操作パネル部４には、操作ボタンとしては、図示例では、パイロットランプ４Ａ、早送りスイッチボタン４Ｂ、開始スイッチボタン４Ｃ、停止スイッチボタン４Ｄ、メニュー選択ボタン４Ｅ等が配置されている。
【００２０】
図２に示す筐体２の上部分２Ａは、筐体２の上半分の部分である。筐体２の下部分２Ｂは、筐体２の下半分の部分である。
図１と図２に示す例では、シリンジ載置部６とシリンジ押子駆動部７は、Ｘ方向に沿って並べて配置されている。シリンジ載置部６は、複数種類の収容量の異なるシリンジの中から、例えば必要とする収容量のシリンジ２００を選択して着脱可能にはめ込んで装着することができる。
【００２１】
図１と図２に示すシリンジ載置部６は、シリンジ本体２０１を収容する収容部８と、クランプ５と、シリンジ２００の本体フランジ２０９をはめ込んで把持するための本体フランジ押さえ部材５００を有している。収容部８は、凹型のシリンジ本体保持部８Ｄを有している。収容部８の左側の端部の壁部分には、チューブ２０３を着脱可能に挟み込むためのチューブ固定部９が形成されている。このチューブ固定部９は、図２に示すようにチューブ２０３の一部を挟み込んで固定する溝部分である。
【００２２】
図１と図２において、医療従事者が、クランプ５を操作してシリンジ２００をシリンジ載置部６から取り外す際には、例えばクランプ５を図示しないスプリングの力に抗してＹ１方向（手前方向）に引っ張って、しかもＲ１方向に９０度回すことで、クランプ５はシリンジ本体２０１の外周面から離れる。これにより、シリンジ本体２０１は、クランプ５による固定を解除して、収容部８のシリンジ本体保持部８Ｄから取り出すとともに、チューブ２０３はチューブ固定部９内から取り外すことができる。
また、このクランプ５を操作してシリンジ２００をシリンジ載置部６の収容部８に収容して取り付ける際には、クランプ５を図示しないスプリングの力に抗してＹ１方向に引っ張ってＲ２方向に９０度回して、スプリングの力によりＹ２方向に戻すことで、シリンジ本体２０１は、収容部８のシリンジ本体保持部８Ｄ内に収容するとともに、チューブ２０３をチューブ固定部９内にはめ込んだ状態で、クランプ５により固定することができる。
【００２３】
図１と図２に示すように、シリンジ本体２０１が収容部８のシリンジ本体保持部８Ｄ内に収容して装着されると、シリンジ押子２０２がシリンジ押子駆動部７内に配置される。このシリンジ押子駆動部７は、シリンジ押子押圧部材１０を有している。制御部からの指令によりモータ１３３が駆動すると、このシリンジ押子押圧部材１０は、シリンジ押子２０２の押子フランジ２０５を、シリンジ本体２０１に対して相対的にＴ方向に沿って少しずつ押す。これにより、シリンジ本体２０１内の薬液は、チューブ２０３と留置針２０４を通じて、患者Ｐに対して高い精度で比較的長時間かけて送液することができる。なお、図１と図２におけるＸ方向、Ｙ方向、Ｚ方向は互いに直交しており、Ｚ方向は上下方向である。
【００２４】
図３は、上述した複数種類の大きさのシリンジの例を示す斜視図である。
図１と図２では、最も薬液の収容量が大きいシリンジ２００が固定されている例を示している。図３（Ａ）に示す最も薬液の収容量が大きいシリンジ２００は、シリンジ本体２０１と、シリンジ押子２０２を有しており、シリンジ本体２０１は本体フランジ２０９を有し、シリンジ押子２０２は押子フランジ２０５を有している。シリンジ本体２０１には、薬液の目盛２１０が形成されている。シリンジ本体２０１の出口部２１１には、フレキシブルなチューブ２０３の一端部が着脱可能に接続される。
【００２５】
図３（Ｂ）に示す薬液の収容量が中くらいのシリンジ３００は、シリンジ本体３０１と、シリンジ押子３０２を有しており、シリンジ本体３０１は本体フランジ３０９を有し、シリンジ押子３０２は押子フランジ３０５を有している。シリンジ本体３０１には、薬液の目盛３１０が形成されている。シリンジ本体３０１の出口部３１１には、フレキシブルなチューブ２０３の一端部が着脱可能に接続される。
図３（Ｃ）に示す最も薬液の収容量が小さいシリンジ４００は、シリンジ本体４０１と、シリンジ押子４０２を有しており、シリンジ本体４０１は本体フランジ４０９を有し、シリンジ押子４０２は押子フランジ４０５を有している。シリンジ本体４０１には、薬液の目盛４１０が形成されている。シリンジ本体４０１の出口部４１１には、フレキシブルなチューブ２０３の一端部が着脱可能に接続される。
図３（Ａ）に示すシリンジ２００は、例えば薬液の収容量が１０ｍＬであり、図３（Ｂ）に示すシリンジ３００は、例えば薬液の収容量が５ｍＬであり、図３（Ｃ）に示すシリンジ４００は、例えば薬液の収容量が２．０ｍＬである。
【００２６】
図３に示すように、シリンジ２００，３００，４００の各シリンジ本体２０１，３０１，４０１は、それぞれ大きさが異なり、シリンジ本体の収容量が大きくなるにしたがって、本体フランジ２０９，３０９，４０９のサイズが大きくなっている。シリンジ３００，４００の各シリンジ本体３０１，４０１は、図１と図２に示すシリンジ２００と同様にして、収容部８のシリンジ本体保持部８Ｄ内に収容して固定することができる。しかし、図３では、３種類のシリンジを図示しているが、これに限らず、シリンジが収容できる薬液の収容量は、２．０ｍＬから５０ｍＬ、例えば２０ｍＬ、３０ｍＬ、５０ｍＬ等であっても良い。シリンジポンプ１に対して設定できるシリンジの収容量は、任意に選択できる。
【００２７】
次に、図４を参照して、図１と図２に示すシリンジポンプ１における電気な構成例を説明する。
図４において、シリンジポンプ１は、全体的な動作の制御を行う制御部（コンピュータ）１００を有している。この制御部１００は、例えばワンチップのマイクロコンピュータであり、ＲＯＭ（読み出し専用メモリ）１０１，ＲＡＭ（ランダムアクセスメモリ）１０２、不揮発性メモリ１０３、そしてクロック１０４を有する。クロック１０４は、所定の操作により現在時刻の修正ができ、現在時刻の取得や、所定の送液作業の経過時間の計測、送液の速度制御の基準時間の計測等ができる。
【００２８】
図４に示す制御部１００は、電源スイッチボタン４Ｓと、スイッチ１１１が接続されている。スイッチ１１１は、電源コンバータ部１１２と例えばリチウムイオン電池のような充電池１１３を切り換えることで、電源コンバータ部１１２と充電池１１３のいずれかから制御部１００に電源供給する。電源コンバータ部１１２は、コンセント１１４を介して商用交流電源１１５に接続されている。
図４において、収容部８内には、一対の検出スイッチ１２０，１２１が配置されている。検出スイッチ１２０，１２１は、シリンジ２００のシリンジ本体２０１が、収容部８内に正しく配置されているかどうかを検知して、制御部１００に通知する。
【００２９】
図４に示すクランプセンサとしてのポテンションメータ１２２は、クランプ５に連結されている。このポテンションメータ１２２は、シリンジ本体２０１をクランプ５によりクランプした状態で、クランプ５がＹ２方向に関して移動する際のクランプ５の移動量を検出することで、どの収容量のシリンジ本体２０１（３０１，４０１）がクランプ５によりクランプされているかどうかを、制御部１００に検出信号を送って通知する。制御部１００は、このポテンションメータ１２２からの検出信号によりクランプ５のＹ方向に関する移動量を得て、例えば図３に示す複数種類のシリンジ本体２０１，３０１，４０１の内のどのシリンジが装着されているかを判別することができる。
図４に示すシリンジ押子駆動部７のモータ１３３は、制御部１００の指令によりモータドライバ１３４により駆動されると、送りネジ１３５を回転させてシリンジ押子押圧部材１０をＴ方向に移動させる。これにより、シリンジ押子押圧部材１０は、シリンジ押子２０２をＴ方向に押圧して、図２に示すシリンジ本体２０１内の薬液を、チューブ２０３を通じて患者Ｐに対して留置針２０４を介して正確に送液する。
【００３０】
図４において、表示部ドライバ１３０は、制御部１００の指令により表示部３を駆動して、各種情報や報知内容等を表示するようになっている。スピーカ１３１は、制御部１００の指令により各種の報知内容を音声により告知することができる。
制御部１００は、通信ポート１４０を通じて、例えばデスクトップコンピュータのようなコンピュータ１４１に対して双方向に通信可能である。このコンピュータ１４１は、薬液データベース（ＤＢ）１５０に接続されており、薬液データベース１５０に格納されている薬液情報ＭＦは、コンピュータ１４１を介して、制御部１００に取得して、制御部１００の不揮発性メモリ１０３に記憶させることができる。制御部１００は、記憶した薬液情報ＭＦを基にして、表示部３には薬液情報ＭＦ等を表示することができる。
図４において、早送りスイッチボタン４Ｂ、開始スイッチボタン４Ｃ、停止スイッチボタン４Ｄ、メニュー選択ボタン４Ｅは、制御部１００に電気的に接続されている。
この他に、制御部１００には、本体フランジ２０９が、本体フランジ押さえ部材５００（図５から図８を参照）により把持されたことを検出するための検出器としてのフォトカプラセンサ２５０が、電気的に接続されている。このフォトカプラセンサ２５０は、発光素子２５１と、この発光素子２５１からの光を受光する受光素子２５２を有している。
【００３１】
次に、図５，図６，図７を参照して、シリンジ載置部６の詳しい構造を説明する。
図５は、図２に示すシリンジ載置部６とシリンジ押子駆動部７の一部分を示す斜視図である。図６は、図５に示すシリンジ載置部６とシリンジ押子駆動部７の一部分を、Ｅ方向から拡大して見た斜視図である。
図５に示すシリンジ載置部６は、シリンジ本体２０１を収容する収容部８と、クランプ５と、シリンジ２００の本体フランジ２０９（図３を参照）をはめ込んで押さえて把持するための本体フランジ押さえ部材５００と、本体フランジ検出部６００を有している。
図１と図２に示すように、一例として、シリンジ２００のシリンジ本体２０１がシリンジ載置部６に設定され、シリンジ２００のシリンジ本体２０１が、クランプ５を用いて固定されている。図５と図６に示すように、シリンジ載置部６の収容部８は、シリンジ本体２０１の一部分もしくは全部を収容することができる凹部であり、収容部８の軸方向はＸ方向に沿っている。シリンジ本体２０１の外周面の一部分が収容部８のシリンジ本体保持部８Ｄの内面に対して密接され、シリンジ本体２０１の外周面の残り部分は、外側に露出されている。
図５と図６に示すように、本体フランジ押さえ部材５００と本体フランジ検出部６００は、本体フランジの把持検出部６５０を構成している。本体フランジの把持検出部６５０は、本体フランジ押さえ部材５００が一例としてシリンジ２００の本体フランジ２０９をはめ込んで把持したことを、確認するために設けられている。本体フランジ検出部６００は、図４に示すフォトカプラセンサ２５０を有している。
【００３２】
図５と図６を参照して、本体フランジ押さえ部材５００の構造を説明する。
図５と図６に示す本体フランジ押さえ部材５００は、熱可塑性樹脂で形成され、収容部８のシリンジ本体保持部８Ｄの右側側面部８Ｖに対して平行に配置されている。この本体フランジ押さえ部材５００は、Ｙ方向とＺ方向で形成される面に配置されている。
本体フランジ押さえ部材５００の先端部５０１は、２つの導入部５０２，５０３と、これらの導入部５０２，５０３の間に形成されている凹部５０４を有している。
図７（Ａ）は、図５と図６に示す本体フランジ押さえ部材５００の形状例を示す斜視図であり、図７（Ｂ）は、図６におけるＪ−Ｊ線から見ており、この本体フランジ押さえ部材５００が固定されている状態を示す図である。
図８は、シリンジ２００の本体フランジ２０９が、本体フランジ押さえ部材５００を用いてはめ込んで把持された状態を示している。
【００３３】
図７（Ａ）に示すように、本体フランジ押さえ部材５００は、先端部５０１と、２つの基部５０６Ａ，５０６Ｂと、２つの弾性変形部５８８Ａ，５８８Ｂを有している。先端部５０１と各基部５０６Ａ，５０６Ｂは、それぞれ細い弾性変形部５８８Ａ，５８８Ｂに一体的に形成されている。これにより、先端部５０１がシリンジ２００の本体フランジ２０９により押された場合に、先端部５０１が基部５０６に対して弾性変形部５８８Ａ，５８８Ｂが弾性変形することで容易にＷＶ方向に移動できる。
図６と図７（Ａ）に示すように、先端部５０１は、２つの導入部５０２，５０３を有している。これらの導入部５０２，５０３の内面５０２Ａ，５０３Ａは、先細りになるように傾斜面になっている。これにより、図７（Ａ）から図８に示すように、医療従事者は、シリンジ２００の本体フランジ２０９を、２つの導入部５０２，５０３を用いて、本体フランジ押さえ部材５００の内面５０９とシリンジ本体保持部８Ｄの右側側面部８Ｖとの間に、Ｙ２方向に沿って容易に挿入することができるメリットがある。
【００３４】
図６に示すように、この導入部５０２は、シリンジポンプ１の使用時において、上側に位置し、導入部５０３は下側に位置している。図７に示すように、凹部５０４の中央位置には、好ましくはさらに小さい凹部５０５が形成されている。この小さい凹部５０５は、シリンジ２００が装着された状態で、図７（Ｂ）に示すシリンジ押子２０２の羽根部分２０２Ｗの一部分を入れ込むための溝部分である。これにより、本体フランジ２０９を本体フランジ押さえ部材５００の内面５０９と右側側面部８Ｖの間にはめ込んで把持する際に、シリンジ押子２０２の羽根部分２０２Ｗが本体フランジ押さえ部材５００の凹部５０４の面に乗り上げてしまうことが無い。このため、シリンジ２００を所定に位置に確実に固定できる。このことは、シリンジ２００だけでなく、図３に示すシリンジ３００，４００の場合も同様である。こうして、薬液の収容量が２．０ｍＬ〜５０ｍＬのシリンジを使用することができる。
【００３５】
次に、図５と図６に示す覆い部材としてのブーツ８００の形状例について説明する。
このブーツ８００は、図４に示すように後で説明する送りネジ１３５等の機械要素の周囲を覆っており、伸縮可能な部材である。図５に示すように、ブーツ８００は、収容部８のシリンジ本体保持部８Ｄの右側側面部８Ｖと、シリンジ押子押圧部材１０のカバー部材８０の間に配置されている。ブーツ８００は、図４に示す送りネジ１３５等の機械要素を覆うために防沫構造になっている。これにより、例えばシリンジ本体２０１内の薬液がこぼれたり、上方に配置されている点滴液がこぼれ落ちたり、周辺で用いる消毒液等が飛散しても、送りネジ１３５等の機械要素に対して付着するのを防ぐことができる。
ブーツ８００は、伸縮可能な例えばゴムやプラスチックにより作られており、シリンジ押子押圧部材１０がＸ１方向とＸ２方向に移動するのに伴って、伸張と収縮ができる。図６に例示するように、ブーツ８００は、例えば複数の第１凸部分８１１，８１２，８１３，８１４等と、第１凸部分よりは直径の小さい複数の第２凸部分８２１等と、左右の連結部分８３０を有している。これにより、シリンジ押子押圧部材１０が左側に移動されてブーツ８００が収縮されると、第２凸部分８２１がより直径の大きい第１凸部分の間に入り込むので、収縮した状態の長さを小さくできる。このため、同じ直径の凸部分を配列する場合に比べて、シリンジ押子押圧部材１０は、ブーツ８００に邪魔されずにより左側に移動することができ、シリンジ押子押圧部材１０の移動量を増加できる。
【００３６】
図７（Ａ）と図７（Ｂ）に示す本体フランジ押さえ部材５００は、断面ほぼＬ字型を有しており、弾性変形可能な金属、例えばステンレス、あるいは弾性変形可能なプラスチックにより作られている。本体フランジ押さえ部材５００は、シリンジ本体保持部８Ｄの右側側面部８Ｖに対してほぼ平行になるように、シリンジポンプの筐体２の一部分５０７に対して、固定されている。本体フランジ押さえ部材５００の一端部は、取り付け基部５０６である。本体フランジ押さえ部材５００の他端部は、導入部５０２と導入部５０３を有し、移動が可能な自由端部である。図７（Ｂ）に示すように、この取り付け基部５０６は、シリンジポンプの筐体２の一部分５０７に対して、ネジ５０６Ｎとボス５０Ｂを用いて固定されている。
図７に示すように、本体フランジ押さえ部材５００の内面側には、２つの突起部分５１１が、間隔をあけて、しかも図７（Ｂ）に示す右側側面部８Ｖに向けて突出して形成されている。図７（Ｂ）から図８に示すように、本体フランジ２０９が本体フランジ押さえ部材５００の内面５０９と右側側面部８Ｖの間に挿入されると、これらの突起部分５１１は、本体フランジ２０９の外面２０９Ｓに必ず突き当てられる部分である。
【００３７】
図７（Ｂ）において、本体フランジ押さえ部材５００の内面５０９と右側側面部８Ｖの間に形成される隙間ＣＧは、本体フランジ２０９の厚みＧよりも小さく設定されている。これにより、本体フランジ２０９を挿入して固定する場合には、本体フランジ２０９は、本体フランジ押さえ部材５００をＷＶ方向に弾性変形させることで、２つの突起部分５１１が、本体フランジ２０９の外面２０９Ｓを、弾性力で押し付けて確実に安定して把持することができる構造になっている。
図１に示すように、シリンジ２００が収容部８のシリンジ本体保持部８Ｄに密接して配置されると、図８に示すように、本体フランジ２０９の一部分がシリンジ本体保持部８Ｄの右側側面部８Ｖと本体フランジ押さえ部材５００の先端部５０１と、の間に挿入される。すなわち、図７（Ｂ）と図８（Ａ）に示すように、本体フランジ２０９が、Ｙ２方向に沿って本体フランジ押さえ部材５００の内面５０９と右側側面部８Ｖとの隙間ＣＧにはめ込まれると、図８（Ａ）に例示するように、本体フランジ押さえ部材５００は、本体フランジ２０９の挿入により、正立した状態から図７（Ｂ）に示す取り付け基部５０６を中心としてＷＶ方向に押されることで、弾性変形して少し傾いた状態になる。
図８（Ａ）に示すように、本体シリンジ２０９の一部分は、右側側面部８Ｖと本体フランジ押さえ部材５００の間に挟まれた状態で、しかも本体フランジ押さえ部材５００が、弾性変形する際の反発力により、平坦な右側側面部８Ｖと本体フランジ押さえ部材５００の突起部分５１１との間に挟まれて把持される。これにより、図１と図２に示すように、シリンジ２００は、本体フランジ２０９を用いて確実に把持することができる。
【００３８】
これに対して、例えば図８（Ｂ）に示すように、図８（Ａ）に示すシリンジ２００に代えてシリンジ２００の収容量よりも収容量の小さいシリンジ４００を把持する場合でも同様である。すなわち、シリンジ４００が図１に示す収容部８のシリンジ本体保持部８Ｄに密接して配置されると、本体フランジ２０９の一部分がシリンジ本体保持部８Ｄの右側側面部８Ｖと本体フランジ押さえ部材５００の先端部５０１の間に挿入される。本体フランジ４０９が、本体フランジ押さえ部材５００の内面５０９と右側側面部８Ｖとの隙間にはめ込まれると、図８（Ｂ）に例示するように、本体フランジ押さえ部材５００は、本体フランジ４０９の挿入により、正立した状態から図７（Ｂ）に示す取り付け基部５０６を中心としてＷＶ方向に押されることで、弾性変形して少し傾いた状態になる。
図８（Ｂ）に示すように、本体シリンジ４０９の一部分は、右側側面部８Ｖと本体フランジ押さえ部材５００の間に挟まれた状態で、しかも本体フランジ押さえ部材５００が弾性変形する際の反発力により、平坦な右側側面部８Ｖと本体フランジ押さえ部材５００の突起部分５１１との間に挟まれて把持される。
ところで、本体フランジ押さえ部材５００の２つの突起部分５１１は、例えば図７（Ｂ）から図８（Ａ）に示すように、はめ込もうとするシリンジ２００の本体フランジ２０９の外面２０９Ｓに対して、点状もしくは線状で突き当てるようになっている。これにより、本体フランジ押さえ部材５００の突起部分５１１は、はめ込もうとするシリンジ２００の本体フランジ２０９の外面２０Ｓに対して、面状で当てるよりも、本体フランジ押さえ部材５００の突起部分５１１は、シリンジ２００の本体フランジ２０９を右側側面部８Ｖに対してより集中した力で確実にしかも安定して押し当てることで、把持することができる。図７と図８の例では、本体フランジ押さえ部材５００の２つの突起部分５１１は、本体フランジ２０９の外面２０９Ｓに対して、線状で突き当てられているが、これに限らず、２つの突起部分５１１は、本体フランジ２０９の外面２０９Ｓに対して、点状で突き当てられるようにしても良い。
本体フランジ押さえ部材５００は、一例として図８（Ａ）に示すようにシリンジ２００の本体フランジ２０９をはめ込んで着脱可能に確実に把持でき、図８（Ｂ）に示すようにシリンジ４００の本体フランジ４０９をはめ込んで着脱可能に確実に把持できる。そして、図３に示す中間の収容量を有するシリンジ３００の場合であっても、シリンジ３００の本体フランジ３０９は、シリンジ２００の本体フランジ２０９，シリンジ４００の本体フランジ４０９の場合と同じようにして右側側面部８Ｖに対してより集中した力で確実に押し当てて把持することができる。
【００３９】
図８（Ａ）に示す本体フランジ２０９の幅Ｇと、図８（Ｂ）に示す本体フランジ４０９の幅Ｇは、同じである。このため、図８（Ａ）に示す収容量の大きいシリンジ２００の場合であっても、図８（Ｂ）に示す収容量の小さいシリンジ４００の場合であっても、右側側面部８Ｖと本体フランジ押さえ部材５００の突起部分５１１との間に形成される開き量ＳＣは、同じ値になる。この本体フランジ押さえ部材５００が形成する開き量ＳＣは、本体フランジを右側側面部８Ｖと本体フランジ押さえ部材５００の間にはめ込む際の本体フランジ押さえ部材５００の把持間隔である。したがって、この開き量ＳＣは、本体フランジの厚みＧと同じ値になる。
このように、医療従事者が、収容量の大小にかかわらず、選択した大きさのシリンジ２００，３００，４００の各本体フランジ２０９，３０９，４０９を、右側側面部８Ｖと本体フランジ押さえ部材５００の間にはめ込んで同じようにして把持できる。
図８（Ａ）に示す本体フランジ２０９の最大形成幅ＳＬは、図８（Ｂ）に示す本体フランジ４０９の最小形成幅ＣＬに比べて大きい。しかし、このように本体フランジ２０９の最小形成幅ＳＬと本体フランジ４０９の最小形成幅ＣＬに寸法差があっても、本体フランジ押さえ部材５００の突起部分５１１は、本体フランジ２０９，４０９を、寸法差を吸収した形で確実に把持することができる。本体フランジ２０９の最小形成幅ＳＬと本体フランジ４０９の最小形成幅ＣＬは、図３にも図示している。
【００４０】
これらの突起部分５１１は、必ず本体フランジ２０９，３０９，４０９の外面に突き当たることで、本体フランジ２０９，３０９，４０９を右側側面部８Ｖと本体フランジ押さえ部材５００の突起部分５１１との間に挿入した時に形成される開き量ＳＣは、同じ値にすることができる。したがって、使用するシリンジの収容量にかかわらず、本体フランジ押さえ部材５００は、同じ開き量ＳＣを確保することができる。
このように、収容量の異なるシリンジ２００，３００，４００のいずれをはめ込んで把持しても、右側側面部８Ｖに対する本体フランジ押さえ部材５００の開き量ＳＣが一定に維持できるようにするのは、次に説明する本体フランジ検出部６００により、本体フランジ２０９，３０９，４０９が確実に検出できるようにするためでもある。
【００４１】
ここで、図９を参照して、本体フランジ検出部６００の構造例を説明する。図９は、本体フランジ検出部６００の構造例を示している。図９（Ａ）は、本体フランジ２０９が右側側面部８Ｖと本体フランジ押さえ部材５００の間にはめ込まれる前の状態を示し、図９（Ｂ）は、本体フランジ２０９が右側側面部８Ｖと本体フランジ押さえ部材５００の間にはめ込まれて把持された状態を示している。
図９に示す本体フランジ検出部６００は、例えば本体フランジ２０９がはめ込まれて把持されたことを、制御部１００に対して電気的に通知することができる。これにより、この制御部１００は、例えば本体フランジ２０９が確実に固定されていることを、例えば表示部３に表示させることができる。また、制御部１００は、本体フランジ２０９が確実に把持されていることを、例えばスピーカ１３１を通じて、医療従事者に対して音声で報知することができる。このため、医療従事者は、シリンジを正確に装着できたことを、表示部３を目視することで、確実に把握できる。
【００４２】
図９に例示するように、本体フランジ検出部６００は、移動部材６０１と、スプリング６０２と、フォトカプラセンサ２５０と、当接部６０３を有している。移動部材６０１とスプリング６０２とフォトカプラセンサ２５０は、シリンジ本体保持部８Ｄ内に配置されている。
当接部６０３は、本体フランジ押さえ部材５００の内側面において、右側側面部８Ｖに向けて突出して形成されている。当接部６０３は、例えば断面半円形を有している。移動部材６０１は、支点６０１Ｓを中心として搖動できるようになっている。移動部材６０１の一端部６０１Ｔは、この当接部６０３に対して、スプリング６０２の力により当接されている。
【００４３】
図９（Ａ）に示すように、本体フランジ２０９がはめ込まれていない状態では、移動部材６０１の他端部６０１Ｒは、フォトカプラセンサ２５０の発光素子２５１と受光素子２５２との間に入り込んでいる。このため、発光素子２５１からの光はこの他端部６０１Ｒにより遮断されていて、発光素子２５１の光は受光部２５２には受光されない。
これに対して、図９（Ｂ）に示すように、本体フランジ２０９がはめ込まれて把持されている状態では、本体フランジ押さえ部材５００の当接部６０３がＷＶ方向に移動するので、移動部材６０１の一端部６０１Ｔはスプリング６０２の力により支点６０１Ｓを中心としてわずかに回転する。このため、移動部材６０１の他端部６０１Ｒは、フォトカプラセンサ２５０の発光素子２５１と受光素子２５２との間から離脱する。
【００４４】
上述したように、使用するシリンジの収容量にかかわらず、本体フランジ押さえ部材５００は、同じ開き量ＳＣを確保することができることから、どの収容量のシリンジが本体フランジ押さえ部材５００により把持されても、移動部材６０１の一端部６０１Ｔはスプリング６０２の力により支点６０１Ｓを中心としてわずかに回転し、移動部材６０１の他端部６０１Ｒは、フォトカプラセンサ２５０の発光素子２５１と受光素子２５２との間から離脱する。したがって、どの収容量のシリンジが本体フランジ押さえ部材５００により把持されても、図９において、発光素子２５１からの光は受光部２５２に受光されるので、受光部２５２は、受光信号ＲＳを制御部１００に送ることができる。
【００４５】
図９において、制御部１００は、この受光信号ＲＳを受けることにより、表示部３において、例えば「本体フランジ２０９を正しくはめ込んで把持し、シリンジ２００を装着できたこと」を表示させる。この場合に、制御部１００は、必要に応じて、同時にスピーカ１３１により、「本体フランジ２０９を正しくはめ込んで把持し、シリンジ２００を装着できたこと」を、音声ガイダンスしても良い。これにより、医療従事者は、シリンジ２００を正確に装着できたことを、情報表示と音声ガイダンスの少なくとも一方により確実に把握できる。
なお、図３に示す収容量の異なるシリンジ２００，３００，４００としては、最も収容量の小さいものは例えば２．０ｍＬのシリンジであり、最も収容量の大きいものは例えば５０ｍＬのシリンジである。
【００４６】
ところで、図１０（Ａ）は、シリンジ２００が、いわゆる横置きにはめ込んで把持された状態を示し、図１０（Ｂ）は、このシリンジ２００が、いわゆる縦置きにはめ込んで把持された状態を示す図である。図１０（Ｂ）に示すシリンジ２００の縦置きは、図１０（Ａ）に示すシリンジ２００の横置きから９０度回転した状態である。
図１０に示すように、例えばシリンジ２００の本体フランジ２０９の厚みＧは、シリンジ２００の全周囲方向に渡って同じである。図１０（Ａ）に示すように、シリンジ２００が横置きにはめ込んで固定された状態であっても、図１０（Ｂ）に示すように、シリンジ２００が横置きにはめ込んで固定された状態であっても、本体フランジ押さえ部材５００が本体フランジ２０９の開き量ＳＣが一定になる。
【００４７】
これにより、シリンジ２００がセットされた状態で、例えば仮にシリンジ２００が３６０度回転されてしまったとしても、本体フランジ押させ部材５００の開き量ＳＣは常に一定にすることができ、シリンジ２００の本体フランジ２０９は安定して把持できる。このように、シリンジを安定して確実に把持できることは、図３に示すシリンジ３００，４００でも同じである。
図３（Ａ）に示すように、シリンジ２００の本体フランジ２０９はほぼひし形に形成されている。このため、図１０（Ｂ）に示す本体フランジ２０９の最大形成幅ＭＬは、図１０（Ａ）に示す本体フランジ２０９の最小形成幅ＳＬに比べて大きい。しかし、このように本体フランジ２０９の最大形成幅ＭＬと最小形成幅ＳＬに寸法差があって、シリンジが回転されたとしても、本体フランジ押さえ部材５００は本体フランジ２０９を、寸法差を吸収した形で確実に安定して把持することができる。
【００４８】
次に、図１１と図１２を参照して、本発明の別の実施形態を説明する。
図１１は、本発明の別の実施形態である本体フランジ押さえ部材を示す。図１２（Ａ）は、図１１に示す実施形態において、比較的収容量の大きいシリンジ２００の本体フランジ２０９が本体フランジ押さえ部材１５００を用いてはめ込んで把持された状態を示す。図１２（Ｂ）は、比較的収容量の小さいシリンジ４００の本体フランジ４０９が本体フランジ押さえ部材１５００を用いてはめ込んで把持された状態を示している。
図１１と図１２に示す本体フランジ押さえ部材１５００の形状が、図７から図９に示す本体フランジ押さえ部材５００の形状とは異なるが、本体フランジ検出部６００の構造は同じであるので、その説明を援用する。
図９に示す本体フランジ押さえ部材５００は、比較的複雑な形状の板状部材であるが、これに対して、図１０と図１１に示す本体フランジ押さえ部材１５００は、ほぼ断面でみてＬ字型を有する単純な形状の板状部材であり、弾性変形可能な金属、例えばステンレス、あるいは弾性変形可能なプラスチックにより作られている。本体フランジ押さえ部材５００の内側には、断面半円形状の当接部６０３が、シリンジ本体保持部８Ｄの右側側面部８Ｖに向けて突出して形成されている。
【００４９】
図１１に示すように、本体フランジ押さえ部材１５００は、弾性変形部１５８８と、基部１５０６を有している。断線変形部１５８８の先端には、例えば断面でみて直角に形成された先端部としての突出部分１５０１を有している。弾性変形部１５８８と基部５０６は、９０度よりも大きい任意の角度Ｃで連続して形成されている。これにより、突出部分１５０１がシリンジ２００の本体フランジ２０９により押された場合に、突出部分１５０１が基部５０６に対して容易にＷＶ方向に弾性変形して移動できる。
図１１に示すように、シリンジ２００の本体フランジ２０９が、本体フランジ押さえ部材１５００と右側側面部８Ｖの間にはめ込まれる前の状態では、本体フランジ押さえ部材１５００の内面１５０９側が、右側側面部８Ｖ側に倒れた状態になっている。そして、図１１に示す本体フランジ２０９が、図１２（Ａ）に示すように、本体フランジ押さえ部材１５００と右側側面部８Ｖの間にはめ込まれると、突出部分１５０１がＷＶ方向に押されて、突出部分１５０１は本体フランジ２０９の外面２０９Ｓに対して、点状もしくは線状で突き当てられる。
【００５０】
これにより、本体フランジ押さえ部材１５００の突出部分１５０１は、はめ込もうとするシリンジ２００の本体フランジ２０９の外面２０９Ｓに対して、線状で突き当てられるので、面状で当てるよりも、本体フランジ押さえ部材１５００の突出部分１５０１は、シリンジ２００の本体フランジ２０９を右側側面部８Ｖに対してより強い力で確実に安定して押し当てて、把持することができる。
本体フランジ押さえ部材１５００は、一例として図１２（Ａ）に示すようにシリンジ２００の本体フランジ２０９をはめ込んで確実に把持でき、同様にして、図１２（Ｂ）に示すようにシリンジ４００の本体フランジ４０９をはめ込んで確実に把持できる。そして、本体フランジ押さえ部材１５００は、図３に示す中間の収容量を有するシリンジ３００の場合であっても、シリンジ３００の本体フランジ３０９は、シリンジ２００の本体フランジ２０９，シリンジ４００の本体フランジ４０９の場合と同じようにしてはめ込んで把持することができる。
【００５１】
上述したように、図１１と図１２に示す本発明の実施形態では、本体フランジ押さえ部材１５００の弾性変形部１５８８は、予め右側側面部８Ｖ側に倒れた状態で傾斜して配置されており、弾性変形部１５８８の突出部分１５０１は、例えばはめ込もうとするシリンジ２００の本体フランジ２０９の外面２０９Ｓに対して、線状で突き当てられる。したがって、本体フランジ２０９の外面２０９Ｓに対して面状で当てるよりも、本体フランジ押さえ部材１５００の突出部分１５０１は、例えばシリンジ２００の本体フランジ２０９を右側側面部８Ｖに対して強い力で確実に押し当てて把持することができる。
ところで、弾性変形部１５８８の突出部分１５０１は、シリンジ２００の本体フランジ２０９の外面２０９Ｓに対して、点状で突き当てるようにしても良い。
【００５２】
図１３は、本発明の実施形態とは異なる比較例を示している。
図１３（Ａ）では、一例としてシリンジ４００の本体フランジ４０９が、比較例の本体フランジ固定板１０００に対してはめ込んで把持する前の状態を示している。図１２（Ｂ）では、シリンジ４００の本体フランジ４０９が、比較例の本体フランジ固定板１０００に対してはめ込んで把持した状態を示している。図１２（Ｃ）では、シリンジ２００の本体フランジ２０９が、比較例の本体フランジ固定板１０００に対してはめ込んで把持した状態を示している。図１３（Ａ）に示すように、本体フランジ固定板１０００は単純なＬ字型の板状部材であり、予め右側側面部８Ｖに対して平行になるように固定されている。
【００５３】
この比較例では、図１３（Ｂ）に例示する収容量の比較的小さいシリンジ４００の本体フランジ４０９を本体フランジ固定板１０００と右側側面部８Ｖの間にはめ込んだ場合と、図１３（Ｃ）に例示する収容量の比較的大きいシリンジ２００の本体フランジ２０９を本体フランジ固定板１０００と右側側面部８Ｖの間にはめ込んだ場合とを比較する。
本体フランジ固定板１０００がＷＶ方向に押される角度が図１３（Ｂ）と図１３（Ｃ）とでは異なり、本体フランジ固定板１０００が本体フランジ４０９，２０９から離れてしまうので、本体フランジ４０９，２０９を十分に把持することができない。特に、図１３（Ｃ）に例示するように、収容量の比較的大きいシリンジ２００を本体フランジ固定板１０００と右側側面部８Ｖの間にはめ込んだ場合には、本体フランジ２０９のサイズが大きいことから、本体フランジ固定板１０００が本体フランジ２０９からさらに離れてしまうので、本体フランジ２０９を把持することができなくなってしまう。
【００５４】
次に、本発明のさらに別の実施形態を説明する。図１４は、本発明のさらに別の実施形態を示している。
図１４に示す本体フランジ押さえ部材２５００が、図７に示す本体フランジ押さえ部材５００と比較して異なるのは、本体フランジ押さえ部材２５００の先端部２５０１は、１つの導入部５０３を有しているが、もう１つの導入部は設けられていないことである。図１４に示す本体フランジ押さえ部材２５００のその他の部分は、図７に示す本体フランジ押さえ部材５００の対応する部分と実質的に同じであるので、同じ符号を記してその説明を援用する。図７に示す本体フランジ押さえ部材５００では２つの導入部５０２，５０３を有し、これらの２つの導入部５０２，５０３は、本体フランジをはめ込んで把持する際の導入部分の役割を果たしている。
【００５５】
しかし、図１４に示す本体フランジ押さえ部材２５００は、１つの導入部５０３だけを設けている。このように１つの導入部５０３は、当接部６０３の形成されている側とは反対側に形成されているが、当接部６０３が形成されている側の導入部の形成は省略されている。このように、１つの導入部５０３だけを設けることにより、次のようなメリットがある。
すなわち、実際に使用するシリンジの本体フランジは、製造メーカに違いなどにより様々な形状を有している。図１４に示すように、本体フランジ押さえ部材２５００では１つの導入部５０３だけを有していると、シリンジの本体フランジが様々な形状であっても、２つの導入部５０２，５０３を有している場合に比べて、本体フランジ押さえ部材２５００は容易にはめ込んで把持することができる。
【００５６】
また、図１５（Ａ）に示すように、２つの導入部５０２，５０３があると、シリンジ２００の本体フランジ２０９をはめ込んで把持しようとする場合に、医療従事者が、万が一本体フランジ２０９を２つの導入部５０２，５０３に対して交差するようにはめ込んでしまうおそれがある。通常このような場合には、図９に示す本体フランジ検出部６００は、本体フランジを正しく把持したとは検出しないので、医療従事者は再度本体フランジを正しく挟み込んで把持すればよい。しかし、図１５（Ｂ）に示す例では、１つの導入部５０３だけであると、このようなシリンジ２００の本体フランジ２０９の誤ったはめ込みを防ぐことができるので、本体フランジ２０９のはめ込みをして把持する操作が簡単に行える。
本発明の実施形態のシリンジポンプは、収容量の異なるシリンジの本体フランジをはめ込んで確実に把持することができる。すなわち、本体フランジ押さえ部材が、本体フランジをはめ込んで把持する際に、本体フランジ押さえ部材の突起部分は、本体フランジに対して点状または線状で突き当てることができるので、収容量の異なるシリンジのサイズの異なる本体フランジをはめ込んでも、面状で当てるのに比べて強い力で確実に安定して把持することができる。
【００５７】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
【符号の説明】
【００５８】
１・・・シリンジポンプ（シリンジポンプの一例）、２・・・本体ケース（筐体）、６・・・シリンジ載置部、２００，３００，４００・・・シリンジ、２０９，３０９，４０９・・本体フランジ、５００・・・本体フランジ押さえ部材、５０１・・・先端部、５０２，５０３・・・導入部、５０６・・・基部、５０８・・・弾性変形部、５１１・・・突起部分、Ｇ・・・本体フランジの厚み、ＳＣ・・・開き量
【図１】
2013094377.tif 000003
【図２】
2013094377.tif 000004
【図３】
2013094377.tif 000005
【図４】
2013094377.tif 000006
【図５】
2013094377.tif 000007
【図６】
2013094377.tif 000008
【図７】
2013094377.tif 000009
【図８】
2013094377.tif 000010
【図９】
2013094377.tif 000011
【図１０】
2013094377.tif 000012
【図１１】
2013094377.tif 000013
【図１２】
2013094377.tif 000014
【図１３】
2013094377.tif 000015
【図１４】
2013094377.tif 000016
【図１５】
2013094377.tif 000017